(57)【要約】【課題】  レリースワイヤを利用して二つのロック装置の施錠動作・開錠動作を連動させるようにした自転車用錠において、施錠操作に要する力を軽減できるようにするとともに、施錠作動子の復帰ばねの嵌装を省く。【構成】  第１のロック装置Ａのケース本体１の裏面に、錠杆２の摺動行程に対応する長さを備えて、該錠杆の形状に沿うガイド溝３を開口し、このガイド溝を覆う取付けケース４内に、両端部に当接部７ａ、７ｂを具えてガイド溝の長さを適宜に下回る長さを有し、かつ、レリースワイヤ６の基端部６ａを固定したスライダー５を摺動自在に嵌装し、ガイド溝内に、上記錠杆から突出させた連動ピン８を嵌合して、この連動ピンを上記スライダーの両端の当接部の間に位置させる一方、上記レリースワイヤの他端部を第２のロック錠に備えたロックレバーに連結した自転車用錠。【選択図】    図２
0003113462.tif 000002
【実用新案登録請求の範囲】
【請求項１】
第１のロック装置のケース本体の裏面に、錠杆の摺動行程に対応する長さを備えて、該錠杆の形状に沿うガイド溝を開口し、このガイド溝を覆う取付けケース内に、両端部に当接部を具えてガイド溝の長さを適宜に下回る長さを有し、かつ、レリースワイヤの基端部を固定したスライダーを摺動自在に嵌装し、ガイド溝内に、上記錠杆から突出させた連動ピンを嵌合して、この連動ピンを上記スライダーの両端の当接部の間に位置させる一方、上記レリースワイヤの他端部を第２のロック錠に備えたロックレバーに連結する。
上記錠杆の施錠行程の終端部近くにおいて、上記連動ピンをスライダーの一端の当接部に当接させ、この当接位置から錠杆の施錠行程の終端に至るまでの間を、上記スライダーとレリースワイヤの従動行程とし、この従動行程を第２のロックのロックレバーの施錠行程として、該ロックレバーに第２のロックを施錠させる。
復元ばねに牽引される上記錠杆の開錠行程の終端近くにおいて、上記連動ピンに、スライダーの他端の当接部を当接させ、この当接位置から錠杆の開錠行程の終端に至るまでの間を従動行程として、上記復元ばねにスライダーとレリースワイヤを牽引させ、施錠時とは逆方向に前記ロックレバーをレリースワイヤに牽引させて、第２のロック錠を開錠させる。
以上のように構成したことを特徴とする自転車用錠。
【考案の詳細な説明】
【技術分野】
【０００１】
本考案は、自転車用錠に関し、レリースワイヤを介して、二つのロック装置の施錠、開錠動作を連動させるようにしたことを特長とする。
【背景技術】
【０００２】
例えばサークル錠の錠杆に、レリースワイヤの基端部を連結し、該ワイヤの他端部を第２のロック錠のロックレバーに連結して、該レバーをサークル錠の施錠動作と開錠動作とに連動させるようにした自転車用錠には、例えば本出願人の先願に特許文献１、２がある。
また、自転車用スタンドロック装置には、起立させたスタンドをスタンドロック板にロックさせた後、サークル錠とかハンドルロック錠などのように自転車に別に取り付けた自転車用錠を施錠すると、それらの錠前の錠杆に連なるレリ−スワイヤを介して、ワイヤの先端部に備えた錠杆がスタンドのロック板を回動不能にロックし、自転車を錠前とロック板とで二重にロックするようにしたロック装置には、同じく本出願人の先願に特許文献３がある。
【０００３】
【特許文献１】特開２００４−１６２３７６号公報（第１頁、図１参照）
【特許文献２】特開２００２−１７８９７６号公報（第２頁、第３、４図参照）
【特許文献３】特開２００５−９６６０６号公報（第１頁、第１図参照）
【考案の開示】
【考案が解決しようとする課題】
【０００４】
上記特許文献１、２の錠前には、錠前本体内に本来備えられている錠杆の復元ばねとは別に、施錠位置に前進したワイヤを開錠位置（初期位置）に復帰（後退）させるための復帰ばねが備えられている。
そのため、この種の、ワイヤを介して連動する二つのロック装置においては、施錠操作をする場合に、錠前内に本来備えられている錠杆の復元ばねと、ワイヤの復帰ばねとの二つのばねの復元力に抗してロック装置を施錠操作する必要があり、大きな操作力が必要で、施錠操作し難いという欠点があった。
同様にして、特許文献３のスタンドロック装置においても、施錠操作する場合に、大きな操作力を要するという欠点があった。
【０００５】
なお特に、特許文献１の自転車用錠は、ワイヤの復帰ばねを嵌装した部分に雨水が浸入して、溜まった水が復帰ばねを錆びさせるとか、寒冷地にあっては、溜まった水の凍結によって復帰ばねが非作動状態に固定されて、二つのロック装置の連動動作が妨げられるなどの問題があった。
そのため、ワイヤを介して連動する二つのロック装置の施錠操作力を軽減できるようにすることと、施錠作動子の復帰ばねの嵌装を省くことができるようにすることが、この種の錠前において解決すべき課題となっていた。
【課題を解決するための手段】
【０００６】
そこで本考案は、上記の課題を解決するために、第１のロック装置のケース本体の裏面に、錠杆の摺動行程に対応する長さを備えて、該錠杆の形状に沿うガイド溝を開口し、このガイド溝を覆う取付けケース内に、両端部に当接部を具えてガイド溝の長さを適宜に下回る長さを有し、かつ、レリースワイヤの基端部を固定したスライダーを摺動自在に嵌装し、ガイド溝内に、上記錠杆から突出させた連動ピンを嵌合して、この連動ピンを上記スライダーの両端部の当接部間に位置させる一方、上記レリースワイヤの他端部を第２のロック錠に備えたロックレバーに連結する。
上記錠杆の施錠行程の終端部近くにおいて、上記連動ピンをスライダーの一端の当接部に当接させ、この当接位置から錠杆の施錠行程の終端に至るまでの間を、上記スライダーとレリースワイヤの従動行程とし、この従動行程を第２のロックのロックレバーの施錠行程として、該ロックレバーに第２のロックを施錠させる。
復元ばねに牽引される上記錠杆の開錠行程の終端近くにおいて、上記連動ピンに、スライダーの他端の当接部を当接させ、この当接位置から錠杆の開錠行程の終端に至るまでの間を従動行程として、上記復元ばねにスライダーとレリースワイヤを牽引させ、施錠時とは逆方向に前記ロックレバーをレリースワイヤに牽引させて、第２のロック錠を開錠させる。
以上のように構成したことを特徴とする自転車用錠を提供するものである。
【考案の効果】
【０００７】
本考案自転車用錠は、第１のロック装置の錠杆を開錠位置に復帰させる復元ばねの牽引により、スライダーとレリースワイヤを初期位置に復帰させるようにしたので、スライダー用の復帰ばねの付設が省ける。
したがって、本来ロック装置に付設されている復元ばねのみの抵抗に抗して第１のロック装置の錠杆を施錠位置に押し進めることができて施錠操作力を軽減できるということと、スライダー用の復帰ばねの水たまり凍結問題を解消することができる。
以上のようにして本考案は前記の課題を解決したものである。
【考案を実施するための最良の形態】
【０００８】
第１のロック装置のケース本体の裏面に、錠杆の摺動行程に対応する長さを備えて、該錠杆の形状に沿うガイド溝を開口し、このガイド溝を覆う取付けケース内に、両端部に当接部を具えてガイド溝の長さを適宜に下回る長さを有し、かつ、レリースワイヤの基端部を固定したスライダーを摺動自在に嵌装し、ガイド溝内に、上記錠杆から突出させた連動ピンを嵌合して、この連動ピンを上記スライダーの両端部の当接部間に位置させる一方、上記レリースワイヤの他端部を第２のロック錠に備えたロックレバーに連結する。
上記錠杆の施錠行程の終端部近くにおいて、上記連動ピンをスライダーの一端の当接部に当接させ、この当接位置から錠杆の施錠行程の終端に至るまでの間を、上記スライダーとレリースワイヤの従動行程とし、この従動行程を第２のロックのロックレバーの施錠行程として、該ロックレバーに第２のロックを施錠させる。
【０００９】
復元ばねに牽引される上記錠杆の開錠行程の終端近くにおいて、上記連動ピンに、スライダーの他端の当接部を当接させ、この当接位置から錠杆の開錠行程の終端に至るまでの間を従動行程として、上記復元ばねにスライダーとレリースワイヤを牽引させ、施錠時とは逆方向に前記ロックレバーをレリースワイヤに牽引させて、第２のロック錠を開錠させる。
以上のように構成したことを特徴とする自転車用錠である。
【実施例】
【００１０】
図面に示す実施例は、第１のロック装置にサークル錠を用いた場合のもので、以下に本考案をこの実施例について説明する。
図１は、実施例１の一部切欠背面図、図２は、実施例１の開錠状態を示す一部切欠縦断背面図、図３は、実施例１の施錠状態を示す一部切欠縦断背面図、図４は、実施例１に付設する第２のロック装置の開錠状態の一部切欠縦断面図、図５は、実施例１に付設する第２のロック装置の施錠状態の一部切欠縦断面図、図６は、実施例２の開錠状態を示す一部切欠縦断背面図、図７は、実施例２の施錠状態を示す一部切欠縦断背面図、図８は、実施例２に付設する第２のロック装置の開錠状態の一部切欠縦断面図、図９は、同上装置の開錠状態を示す一部切欠縦断面図、図１０は、同上装置の施錠状態を示す一部切欠縦断面図、図１１は、同上装置の施錠状態を示す一部切欠縦断側面図である。
【００１１】
図において、１は、サークル錠（第１のロック装置）Ａのケース本体、２は、ケース本体１内に摺動自在に嵌装された円弧形の錠杆、３は、ケース本体１の裏面に、錠杆２の摺動行程に対応する長さを備えて、錠杆２の形状に沿って開口する同じく円弧形のガイド溝、４は、ガイド溝３を覆ってケース本体１の背面に取り付けられた取付けケース、５は、ガイド溝３の長さを適宜に下回る長さを具え、両端部（図示上下）にガイド溝３内に介入する当接部７ａ、７ｂを具えるとともに、レリースワイヤ６の基端部６ａを固定して、取付けケース４内に摺動自在に嵌装した円弧形のスライダーである。
【００１２】
８は、錠杆２からケース本体１の背面側に突出してガイド溝３内に嵌合し、スライダー５の両端の当接部７ａ、７ｂの間に位置する連動ピン、９は、錠杆２からケース本体１の側面に突出する施錠用の操作摘み、１０は、図１に示すように、ケース本体１内に備えられて、錠杆２を常時牽引する復元ばね、１１はケース本体１の正面側の下端部（図示の右端部）に備えた従来公知の施錠機構、１２は施錠機構１１に付設されて錠杆２を施錠位置に掛止するストッパーである。
なお、実施例１において、レリースワイヤ６の他端部６ｂは、図４、５に示すように第２のロック錠Ｂとして備えた箱錠のロックレバー１３に間接的に連結された滑車形のクランクレバー１４に固定されている。１５はクランクレバー１４に付設したリターンばねである。
【００１３】
実施例１のサークル錠Ａが、図２に示すように開錠状態にあるとき、施錠用の操作摘み９を復元ばね１０の牽引に抗して図示下方に押し下げると、錠杆２と一体の連動ピン８も図示下方に下がる。
連結ピン８は、錠杆２の施錠行程の終端近くでスライダー５の一端（図示下端）の当接部７ａに当接して、その当接位置から錠杆２の施錠行程の終端に至るまでの区間をスライダー５とレリースワイヤ６の従動行程として、スライダー５と共にレリースワイヤ６を引き下げ、施錠行程の終端で自動的に錠杆２がケース本体１内で図示省略の係合部をストッパー１２に係合させて、図３に示すようにサークル錠Ａを施錠状態に変える。
【００１４】
図４に示すように直杆形のロックレバー１３を後退させていた第２のロック装置Ｂは、上記した従動行程内のレリースワイヤ６の動作に追従する該ワイヤ６の他端部６ｂの牽引により、リターンばね１５に抗して滑車形のクランクレバー１４を図示時計回りに回転させ、図５に示すように、ロックレバー１３を施錠位置に突出させる。
なお、この第２のロック装置Ｂの上記施錠状態は、第１のロック装置の錠杆２を施錠するストッパー１２並びに施錠機構１１により、施錠位置を保持される。
【００１５】
次ぎに、図３に示す施錠状態において、サークル錠Ａの施錠機構１１が開錠されると、ストッパー１２が一旦後退し、錠杆２は、復元ばね１０に牽引されて図２に示す開錠位置に復帰する。
上記錠杆２の開錠行程の終端近くでスライダー５の他端（上端）の当接部７ｂに上昇中の連動ピン８が当接し、その当接位置から開錠行程の終端に至るまでの区間を従動行程として、スライダー５と共にレリースワイヤ６は復元ばね１０の牽引力により引き上げられて、図２に示す初期位置に復帰する。
上記レリースワイヤ６の復帰動作に追従して図示反時計回りに回動するクランクレバー１４とリターンばね１５の作動により第２のロック装置Ｂのロックレバー１３も図４に示す初期位置に復帰する。
【００１６】
以上の説明から明らかなように、ケース本体１の背面に開口するガイド溝３は、両端に余裕を残して錠杆２の摺動行程に対応する長さを有し、スライダー５は、両端に連動ピン８と当接部７ａ、７ｂとの当接による従動行程が形成されるように、ガイド溝３の長さを適宜に下回る長さを有する。
【００１７】
次ぎに、実施例２を図６、７について説明すると、図６に示す実施例２のサークル錠Ａは、図２の実施例１と同様に開錠状態にある。
実施例１と実施例２との違いは、実施例１が施錠行程においてレリースワイヤ６を牽引に用いる構造であるのに対し、実施例２はスライダー５とレリースワイヤ６の初期位置を高い位置におき、施錠行程においてレリースワイヤ６を押し上げに用いるようにした場合のもので、例えば、図８〜１１に示されるような構造を備えたハンドルロック錠を第２のロック錠Ｂとしてレリースワイヤ６に連動させる場合に好適する。
【００１８】
なお、図８〜１１において、符号１６はハンドルロック錠Ｂの一側に形成したレリースワイヤ６の導入部、１７は導入部６内に軸受けされて、下向きの椀形を具えた先端をレリースワイヤ６の他端部６ｂに当接させた連動レバー、１８は導入部６内で連動レバー１７と同軸に一体回転するように固定した回転レバー、１９は回転レバー１８の先端部と係合し、付勢ばね２０に図示右方向に付勢されるロックレバ−、２１は周面に備えた凹凸部２２にロックレバー１９の内端を係合させてハンドルの回転を固定するロック部材である。
なお、図１１中、Ｓはロックレバー１９のストロークである。
【００１９】
次ぎに実施例２の作動について説明すると、サークル錠Ａが図６に示す開錠状態にあるとき、実施例１の場合と同様に、施錠用の操作摘み９を復元ばね１１に抗して図示下方に押し下げると、錠杆２と一体に連動ピン８が図示下方に下がる。
連結ピン８は、錠杆２の施錠行程の終端近くでスライダー５の一端（図示下端）の当接部７ａに当接して、その当接位置から錠杆２の施錠行程の終端に至るまでの区間をスライダー５とレリースワイヤ６の従動行程として、スライダー５と共にレリースワイヤ６を押し下げる。
上記錠杆２は、施錠行程の終端でケース本体１内に備えたストッパー１２と係合して、図７に示す施錠状態に切り換わることも、前記実施例１の場合と同じである。
また、上記従動行程内のレリースワイヤ６の押し下げ動作に追従して、第２のロック装置Ｂのロックレバー１９も施錠位置に前進する。
【００２０】
すなわち、上記レリースワイヤ６の押し下げ動作により、第２のロック装置Ｂ内ではレリースワイヤ６の他端部６ｂが上昇して連動レバー１７の先端部を図８の状態から図１０に示すように押し上げる。同時に、連動レバー１７と一体回転する回転レバー１８は、図９に示す下向き姿勢から図１１に示すように図示左回転して、付勢ばね２０と共にロックレバー１９を施錠位置に前進させ、内端部を前進位置にある凹凸部２２に係合させてロック部材２１を回転不能に固定し、ハンドルロック錠を施錠する。
【００２１】
次ぎに、図７に示す施錠状態において、施錠機構１１が開錠されるとストッパー１２が一旦後退して、サークル錠Ａの錠杆２は、復元ばね１０に牽引されて図２に示す開錠位置に復帰する。
上記錠杆２の開錠行程の終端近くでスライダー５の他端（上端）の当接部７ｂに上昇中の連動ピン８が当接し、その当接位置から開錠行程の終端に至るまでの区間を従動行程として、スライダー５と共にレリースワイヤ６が押し上げられ、錠杆２と共に初期位置に復帰することも、また、上記レリースワイヤ６の動作に追従して第２のロック装置（ハンドルロック錠）のロックレバー１９も開錠位置に復帰することも、前記実施例１の場合と同じである。
【００２２】
なお、実施例２を示す図６、７において、２３は、復元ばね１０の復元力に牽引されたスライダー５が開錠位置に復帰したときの力が大きすぎた場合に、スライダー５を緩衝するクッションゴムである。
また、上記実施例２を示す図面において、操作摘み９、復元ばね１０、施錠機構１１およびストッパー１２の図示を省略している。
【産業上の利用可能性】
【００２３】
本考案において、第１のロック装置は、サークル錠Ａ以外の錠前を採用することができるが、施錠ストロークが大きくとれるロック装置であればサークル錠のみに限らない。また、第２のロック錠においてもハンドルロック錠に限らない。
その他各部の形状と構造は、図示した実施例の態様のみに限らず、本考案の要旨に沿って適宜に設計変更できる。
【図面の簡単な説明】
【００２４】
【図１】図１は実施例１を示す一部切欠縦断背面図である。
【図２】図２は実施例１の開錠状態を示す一部切欠縦断背面図である。
【図３】図３は実施例１の施錠状態を示す一部切欠縦断面図である。
【図４】図４は実施例１に付設する第２のロック装置の開錠状態を示す一部切欠縦断面図である。
【図５】図５は実施例１に付設する第２のロック装置の施錠状態を示す一部切欠縦断面図である。
【図６】図６は実施例２の開錠状態を示す一部切欠縦断背面図である。
【図７】図７は実施例２の施錠状態を示す一部切欠縦断背面図である。
【図８】図８は実施例２に付設する第２のロック装置の開錠状態を示す一部切欠縦断面図である。
【図９】図９は同上装置の開錠状態を示す一部切欠縦断面図である。
【図１０】図１０は同上装置の施錠状態を示す一部切欠縦断面図である。
【図１１】図１１は同上装置の施錠状態を示す一部切欠縦断側面図である。
【符号の説明】
【００２５】
Ａ  第１のロック装置（サークル錠）
１  ケース本体
２  錠杆
３  ガイド溝
４  取付けケース
５  スライダー
６  レリースワイヤ  （６ａ  基端部）
７  当接部（７ａ、７ｂ）
８  連動ピン
９  操作摘み
１０  復元ばね
１１  施錠機構
１２  ストッパー
Ｂ  第２のロック錠
１３  ロックレバー
１４  クランクレバー
１５  リターンばね
１６  導入部
１７  連動レバー
１８  回転レバー
１９  ロックレバー
２０  付勢ばね
２１  ロック部材
２２  凹凸部
２３  クッションゴム
Ｓ  ロックレバー１９のストローク
【図１】
0003113462.tif 000003
【図２】
0003113462.tif 000004
【図３】
0003113462.tif 000005
【図４】
0003113462.tif 000006
【図５】
0003113462.tif 000007
【図６】
0003113462.tif 000008
【図７】
0003113462.tif 000009
【図８】
0003113462.tif 000010
【図９】
0003113462.tif 000011
【図１０】
0003113462.tif 000012
【図１１】
0003113462.tif 000013